(57)【要約】【課題】  野外での歩行、軽運動等に際して、手や腕に対して通気性、快適性を保持しつつ日光からの紫外線を遮断する安価且つ簡素な使い捨て用紫外線遮蔽手袋を提供する。【解決手段】  手背部を被覆する手背被覆部２１、手掌部を被覆する手掌被覆部２２及び手指を被覆する手指被覆部２３を備える使い捨て用紫外線遮蔽手袋１１において、前記手背被覆部２１と手指被覆部２３の表側部分とは、通気性合成繊維シート３１上に紫外線遮蔽樹脂フィルム３２を積層した複層体から形成され、また前記手掌被覆部２２と手指被覆部２３の裏側部分とは通気性合成繊維シート３１から形成されている。【選択図】  図１
0003188383.tif 000002
【実用新案登録請求の範囲】
【請求項１】
少なくとも手背被覆部、手掌被覆部及び手指被覆部を備えた手袋において、前記手背被覆部と前記手指被覆部の表側部分とを通気性合成繊維シート上に紫外線遮蔽樹脂フィルムを積層した複層体から形成すると共に、前記手掌被覆部と前記手指被覆部の裏側部分とを通気性合成繊維シートから形成したことを特徴とする使い捨て用紫外線遮蔽手袋。
【請求項２】
請求項１に記載の使い捨て用紫外線遮蔽手袋において、前記手背被覆部及び前記手掌被覆部に腕被覆部が連接され、前記腕被覆部の表側部分を通気性合成繊維シート上に紫外線遮蔽樹脂フィルムを積層した複層体から形成すると共に、前記腕被覆部の裏側部分を通気性合成繊維シートから形成した使い捨て用紫外線遮蔽手袋。
【考案の詳細な説明】
【技術分野】
【０００１】
本考案は、紫外線遮蔽手袋に関する。詳細には、本考案は、例えば野外での歩行、軽運動等に際して、手や腕に対して通気性、快適性を保持しつつ日光からの紫外線を効果的に遮断する安価且つ簡素な使い捨て用紫外線遮蔽手袋に関する。
【背景技術】
【０００２】
紫外線遮蔽機能を有する手袋として、例えば、紫外線の透過率の低い天然繊維を主体とした素材や紫外線の透過率の低い天然繊維を紫外線吸収剤溶液で処理した素材主体とした素材からなる手背被覆部と、天然皮革や合成皮革を主体とした手掌被覆部とを縫製してなるものが知られている（特許文献１）。
【０００３】
前記紫外線遮蔽手袋は、ゴルフ用に特化されたものであり、これには手背被覆部や手掌被覆部に比較的高価な材料が使用されている。
【先行技術文献】
【特許文献】
【０００４】
【特許文献１】実公平７−２５９８７号公報
【考案の概要】
【考案が解決しようとする課題】
【０００５】
本考案の課題は、野外での歩行、軽運動等に際して、手や腕に対して通気性、快適性を保持しつつ日光からの紫外線を遮断する安価且つ簡素な使い捨て用紫外線遮蔽手袋を提供することにある。
【課題を解決するための手段】
【０００６】
本考案に係る使い捨て用紫外線遮蔽手袋は、前記先行技術の問題点に鑑みて考案されたものである。
【０００７】
請求項１に記載の使い捨て用紫外線遮蔽手袋は、少なくとも手背被覆部、手掌被覆部及び手指被覆部を備えた手袋において、前記手背被覆部と前記手指被覆部の表側部分とを通気性合成繊維シート上に紫外線遮蔽樹脂フィルムを積層した複層体から形成すると共に、前記手掌被覆部と前記手指被覆部の裏側部分とを通気性合成繊維シートから形成したことを特徴とするものである。
【０００８】
前記手背被覆部は手背部を被覆する部分であり、また前記手掌被覆部は手掌部を被覆する部分である。前記手背被覆部は、裏側の手掌部に至る域まで被覆するものであってもよい。
【０００９】
また、前記手指被覆部の表側部分は手指の背部を被覆するものであり、また前記手指被覆部の裏側部分は手指の腹部を被覆する部分である。前記手指被覆部の表側部分は、各手指の腹部に至る域まで被覆するものであってもよい。
【００１０】
前記通気性合成繊維シートとして、例えば、透かし構造を有するレース等からなる通気性に優れた編織物を好適に使用することができる。また、前記通気性合成繊維シートは、着色されていてもよく、或いは模様や絵柄等が表示されていてもよい。
【００１１】
また、前記紫外線遮蔽樹脂フィルムとして、例えば、樹脂フィルムの表面に蒸着、スパッタリング等により紫外線吸収機能を付与するドライコーティング法や、樹脂フィルムの表面にインキ、塗料等のコーティング液を塗布することにより紫外線吸収機能を付与するウエットコーティング法等により得られる公知の紫外線遮蔽樹脂フィルムを好適に使用することができる。前記紫外線遮蔽樹脂フィルムは透明又は半透明であってもよく、また着色されていてもよく、或いは模様や絵柄等が表示されていてもよい。
【００１２】
前記複層体は、前記通気性合成繊維シート上に前記紫外線遮蔽樹脂フィルムを例えば接着や融着等により積層して形成されたものでもよい。
【００１３】
請求項２に記載の使い捨て用紫外線遮蔽手袋は、前記使い捨て用紫外線遮蔽手袋において、前記手背被覆部及び前記手掌被覆部に腕被覆部が連接され、前記腕被覆部の表側部分を通気性合成繊維シート上に紫外線遮蔽樹脂フィルムを積層した複層体から形成すると共に、前記腕被覆部の裏側部分を通気性合成繊維シートから形成したものである。
【００１４】
前記腕被覆部は、前腕の一部又は全部を被覆するものであってもよく、また前腕の全部及び上腕の一部又は全部を連続的に被覆するものであってもよい。前記腕被覆部の表側部分は腕の表側部、好ましくは腕における体側と対向しない側、実際には例えば腕周囲の３／４程度を被覆するものであり、また前記腕被覆部の裏側部分は、腕の裏側部、好ましくは腕における体側と対向する側、実際には例えば腕周囲の１／４程度を被覆するものである。
【考案の効果】
【００１５】
請求項１に係る考案によれば、野外での歩行、軽運動等に際して、手や腕に対して通気性、快適性を保持しつつ日光からの紫外線を遮断する安価且つ簡素な使い捨て用紫外線遮蔽手袋を提供することができる。
【００１６】
即ち、前記考案によれば、日光からの紫外線に曝され易い手背部及び手指の背部は、手袋の手背被覆部と手指被覆部の表側部分とを通気性合成繊維シート上に紫外線遮蔽樹脂フィルムを積層した複層体から形成したことにより、前記複層体における前記紫外線遮蔽樹脂フィルムの作用で日光からの紫外線から遮蔽される。また、前記考案によれば、手背部及び手指の背部は、前記複層体における前記通気性合成繊維シートの介在で前記紫外線遮蔽樹脂フィルムとの接触、密着が防止されると共にそれによって汗の付着によるべたつき等の不快感や汗疹等の発生、及び前記紫外線遮蔽樹脂フィルムとの接触に起因するアレルギー症状等の発生が予防される。また、前記考案によれば、手掌部及び手指の腹部は、手袋の手掌被覆部と手指被覆部の裏側部分とを通気性合成繊維シートから形成したことにより外気との通気に供され、それによって汗の乾燥や体温の調節等が好適に行われる。
【００１７】
請求項２に係る考案によれば、手背部、手掌部及び手指等を含む手における前記作用効果に加えて、前腕及び上腕等を含む腕においても前記作用効果を得ることができる。
【００１８】
即ち、前記考案によれば、日光からの紫外線に曝され易い手背部及び手指の背部並びに腕の表側部は、手袋の手背被覆部と手指被覆部の表側部分と腕被覆部の表側部分とを通気性合成繊維シート上に紫外線遮蔽樹脂フィルムを積層した複層体から形成したことにより、前記複層体における前記紫外線遮蔽樹脂フィルムの作用で日光からの紫外線から遮蔽される。また、前記考案によれば、手背部及び手指の背部並びに腕の表側部は、前記複層体における前記通気性合成繊維シートの介在で前記紫外線遮蔽樹脂フィルムとの接触、密着が防止されると共にそれによって汗の付着によるべたつき等の不快感や汗疹等の発生、及び前記紫外線遮蔽樹脂フィルムとの接触に起因するアレルギー症状等の発生が予防される。さらに、前記考案によれば、手掌部及び手指の腹部並びに腕の裏側部は、手袋の手掌被覆部と手指被覆部の裏側部分と腕被覆部の裏側部分とを通気性合成繊維シートから形成したことにより外気との通気に供され、それによって汗の乾燥や体温の調節等が好適に行われる。
【００１９】
また、請求項１及び２に係る前記考案における、通気性合成繊維シート上に紫外線遮蔽樹脂フィルムを積層した複層体では、該複層体にしわが生じ難く、また前記通気性合成繊維シートが仮にレース模様等の柄や模様を有し、且つ前記紫外線遮蔽樹脂フィルムが仮に透明又は半透明である場合に、前記通気性合成繊維シートの前記柄や模様が、透明又は半透明の前記紫外線遮蔽樹脂フィルムを透して現出されることになる。
【図面の簡単な説明】
【００２０】
【図１】図１（Ａ）、（Ｂ）及び（Ｃ）は、本考案の実施例１に係る使い捨て用紫外線遮蔽手袋の各々表面図、底面図及びＩ−Ｉ線断面図である。
【図２】図２（Ａ）、（Ｂ）及び（Ｃ）は、本考案の実施例２に係る使い捨て用紫外線遮蔽手袋の各々表面図、底面図及びII−II線断面図である。
【考案を実施するための形態】
【００２１】
手袋における、日光からの紫外線に曝され易い手背部、手指の背部、腕の表側部等を被覆する部分を通気性合成繊維シート上に紫外線遮蔽樹脂フィルムを積層した複層体から形成し、また日光からの紫外線に曝され難い手掌部、手指の腹部、腕の裏側部等を被覆する部分を通気性合成繊維シートから形成する。
【実施例１】
【００２２】
図１において、実施例１に係る使い捨て用紫外線遮蔽手袋１１は、手背部を被覆する手背被覆部２１、手掌部を被覆する手掌被覆部２２及び手指を被覆する手指被覆部２３を備える。
【００２３】
前記手背被覆部２１及び手指被覆部２３の表側部分は、通気性合成繊維シート３１上に紫外線遮蔽樹脂フィルム３２を積層した複層体から形成され、また前記手掌被覆部２２及び手指被覆部２３の裏側部分は通気性合成繊維シート３１から形成されている。
【実施例２】
【００２４】
図２において、実施例２に係る使い捨て用紫外線遮蔽手袋１２は、手背部を被覆する手背被覆部２１、手掌部を被覆する手掌被覆部２２及び手指を被覆する手指被覆部２３並びに前腕を被覆する腕被覆部２４を備える。
【００２５】
前記手背被覆部２１及び手指被覆部２３の表側部分並びに腕被覆部２４の表側部分は、通気性合成繊維シート３１上に紫外線遮蔽樹脂フィルム３２を積層した複層体から形成され、また前記手掌被覆部２２及び手指被覆部２３の裏側部分並びに腕被覆部２４の裏側は通気性合成繊維シート３１から形成されている。
【符号の説明】
【００２６】
１１  使い捨て用紫外線遮蔽手袋（実施例１）
１２  使い捨て用紫外線遮蔽手袋（実施例２）
２１  手背被覆部
２２  手掌被覆部
２３  手指被覆部
２４  腕被覆部
３１  通気性合成繊維シート
３２  紫外線遮蔽樹脂フィルム
【図１】
0003188383.tif 000003
【図２】
0003188383.tif 000004
【手続補正書】
【提出日】平成25年11月13日(2013.11.13)
【手続補正１】
【補正対象書類名】明細書
【補正対象項目名】０００２
【補正方法】変更
【補正の内容】
【０００２】
紫外線遮蔽機能を有する手袋として、例えば、紫外線の透過率の低い天然繊維を主体とした素材や紫外線の透過率の低い天然繊維を紫外線吸収剤溶液で処理した素材を主体とした素材からなる手背被覆部と、天然皮革や合成皮革を主体とした手掌被覆部とを縫製してなるものが知られている（特許文献１）。